(57)【要約】      （修正有）【課題】宅地造成の境界壁工事等の擁壁構築の際に、積上用Ｌ型コンクリートブロックを使用した複数段擁壁構築施工法に関する。従来のブロックは１段擁壁構築用に限定された構造で施工は非能率であり、又、各段のＬ型コンクリートブロックの上下相互の連結にも安全性の問題があった。【解決手段】垂直壁部２と傾斜底板部３と連結支持部４により構成し、垂直壁部２には支持棚部５を設けた積上用Ｌ型コンクリートブロック１を用い、基礎面に固定した基礎部材９の上に据え付けた１段目の積上用Ｌ型コンクリートブロック１の背面側を、略、支持棚部５の位置までコンクリート、土砂、採石等１０で固定し、その表面をコンクリートで造成した後、次に積上げる２段目の積上用Ｌ型コンクリートブロック１の垂直壁部２の下端部を、１段目の前記ブロック１の支持棚部５の凹溝に嵌入して、その背面側は略、上面位置までコンクリート、土砂、採石等１０で固めて造成した。【選択図】図３
2010242474.tif 000002
【特許請求の範囲】
【請求項１】
垂直壁部と傾斜底板部と連結支持部により構成し、垂直壁部には、上端側に積み上げる積上用Ｌ型コンクリートブロックの垂直壁部の下端部、又は専用基礎部材の下面側の嵌合凸条を嵌入する凹溝を有する支持棚部を設けた積上用Ｌ型コンクリートブロックを利用した施工法で、擁壁構築の基礎面に固定した基礎部材の上に据え付けた１段目の積上用Ｌ型コンクリートブロックの背面側を、略、支持棚部の位置までコンクリート、土砂、採石等で固定し、その表面をコンクリートで造成した後、次に積上げる２段目の積上用Ｌ型コンクリートブロックの垂直壁部の下端部を１段目の積上用コンクリートブロックの支持棚部の凹溝に嵌入して、その背面側は略、上端位置までコンクリート、砕石、土砂等で固めて造成した事を特徴とする積上用Ｌ型コンクリートブロックを利用する複数段擁壁構築の施工法。
【請求項２】
垂直壁部と傾斜底板部と連結支持部により構成し、垂直壁部には、上端側に積み上げる積上用Ｌ型コンクリートブロックの垂直壁部の下端部、又は専用基礎部材の下面側の嵌合凸条を嵌入する凹溝を有する支持棚部を設けた積上用Ｌ型コンクリートブロックと、１端側には、上面側に垂直壁部の下端部を嵌入する下端嵌入凹溝、下面側に垂直壁部背面の支持棚部上面の凹溝に嵌入する嵌合凸条を設け、他端上面側には傾斜底板部の先端部を嵌入する先端止め溝を設けた専用基礎部材を利用した施工法で、擁壁構築の基礎面に固定した下段の専用基礎部材の下端嵌入凹溝に下段の積上用Ｌ型コンクリートブロックの垂直壁部の下端部を嵌入すると共に、先端止め溝に傾斜底板部の先端部を嵌入して固定し、背面側を、略、上端位置までコンクリート、土砂、採石等で固めた後、下段の支持棚部の凹溝に下面側の嵌合凸条を嵌入して上段の専用基礎部材を据え付け、次に積上げる上段の積上用Ｌ型コンクリートブロックは、垂直壁部の下端部を上段の専用基礎部材の下端嵌入凹溝に嵌入すると共に、傾斜底板部の先端部を先端止め溝に嵌入し、その背面側は略、上端位置までコンクリート、砕石、土砂等で固めて造成した事を特徴とする積上用Ｌ型コンクリートブロックを利用する複数段擁壁構築の施工法
【発明の詳細な説明】
【技術分野】
【０００１】  本発明は、宅地造成の境界壁や道路の路肩や岩壁の崩落防止等の擁壁工事の際に、擁壁構築用の積上用Ｌ型コンクリートブロックを使用し、高い擁壁を複数段に構築する施工法に関する。
【背景技術】
【０００２】  従来の擁壁構築用のＬ型コンクリートブロックは、比較的低い１段擁壁用であり上下方向に連結できるように構成されていなかった。擁壁構築の施工は、図８に例示する通りコンクリート、砕石、土砂等１０で造成した基礎面の上に固定される従来の基礎部材１７の上に従来のＬ型コンクリートブロック１６の垂直壁部の下端部を据え付け、背面側をコンクリート、砕石、土砂等１０により埋め込んで擁壁を構築する施工法であった。従って、複数段積上げる高い擁壁構築に使用する事は施工上困難であり、高い擁壁用とするためにはＬ型コンクリートブロックの高さ寸法を大きくして特別製作する事が講じられていた。しかし、Ｌ型コンクリートの寸法が大きくなると、コンクリートの成形製造及び保管、輸送における費用を増大するだけでなく、擁壁構築の作業現場の施工効率を著しく低下させる事になった。従って、自ら寸法限度があるので高い壁は石垣となり、複数段積み上げる事が困難な従来のＬ型コンクリートブロックは使用されなかったので、従来仕様のＬ型コンクリートブロックを利用する擁壁構築は殆ど施工されず確実な施工法も無かった。
【発明の開示】
【発明が解決しょうとする課題】
【０００３】  従来の擁壁構築用Ｌ型コンクリートブロックを使用する施工法は、殆どが１段擁壁構築に限定されていた。高さの高い擁壁を構築する場合は、Ｌ型コンクリートブロックが積み上げ連結する構造ではないため、特別に製作した高さ寸法の大きいＬ型コンクリートブロックを使用した。そのため、高い擁壁構築に使用するＬ型コンクリートブロックは、製作時のコンクリート成形、完成後の保管及び作業現場までの輸送、構築の施工等においてコスト高となり、構築の施工にも作業能率が低下し、施工費用が増大する事となった。
【０００４】  従来の１段擁壁用のＬ型コンクリートブロックを使用して２段以上の複数段の高い擁壁を構築施工する場合には、下段と上段のＬ型コンクリートブロックの連結を強固かつ安全にする為に、下段のＬ型コンクリートブロックの上端背後をコンクリート、土砂、採石等で強固に固める。その後に配置する上段のＬ型コンクリートブロックの位置は、下段のブロックの上端と上段のブロックの下端の間の距離を十分保有する必要がある。従って、擁壁の傾斜面に相当する面積が大きくなり、有効平面積が狭くなる。又、上段のＬ型コンクリートブロックは下段のＬ型コンクリートブロックの据え付け施工と同様に、別個に位置、高さ、傾斜、方向などを決める事が必要となり、施工は複雑かつ非能率となる。
【課題を解決するための手段】
【０００５】  本発明に係る積上用Ｌ型コンクリートブロックを利用する施工法は、主として２段以上の複数擁壁の構築施工に関するものである。即ち、本発明の施工法に使用する積上用Ｌ型コンクリートブロックには、垂直壁部と、１端が垂直壁部に連結する傾斜底板部と、垂直壁部背面と傾斜底板部上面に連結する連結支持部により構成され、垂直壁部は上端側に、上面に積上げるＬ型コンクリートブロックの垂直壁部の下端部、又は専用基礎部材の下面側に突設する嵌合凸条を嵌入する凹溝を有し、かつ棚支持部により支持される支持棚部を設ける。
【０００６】  構築用Ｌ型コンクリートブロックと共に本発明工法に使用する専用基礎部材は安定する板状や角状に形成し、その上面側には、１端側に積上用Ｌ型コンクリートブロックの垂直壁部の下端部分を嵌入する下端嵌入溝を形成すると共に、他端側に積上用Ｌ型コンクリートブロックの傾斜底板部の先端部分を嵌め込む先端止め溝を設ける。又、下面側には、積上用Ｌ型コンクリートブロックの支持棚部上面の凹溝に嵌入する嵌合凸条を突設する。
【０００７】  本発明に係る複数段擁壁構築の施工法は、垂直壁部と傾斜底板部と連結支持部により構成し、垂直壁部は上端側に上段側に積上用Ｌ型コンクリートブロックの垂直壁部の下端部を嵌入する凹溝を有する支持棚部を設けた前記の積上用Ｌ型コンクリートブロックを使用する。先ず擁壁構築の基礎面に固定した基礎部材の上に据え付けた１段目の積上用Ｌ型コンクリートブロックの背面側を、略、支持棚部の位置までコンクリート、土砂、採石等で固定し、次に積上げる２段目の積上用Ｌ型コンクリートブロックの垂直壁部の下端部を支持棚部の凹溝に嵌入して固定し、その背面側に略、支持棚部が隠れる位置までコンクリート、砕石、土砂等を埋め込み固定する施工法である。
【０００８】  又、本発明に係る複数擁壁構築の他の施工法は、前記の積上用Ｌ型コンクリートブロックと専用基礎部材を使用する。先ず、擁壁構築の基礎面に固定した１段目の専用基礎部材の上に据え付ける１段目の積上用Ｌ型コンクリートブロックは、専用基礎部材の下端嵌入凹溝に垂直壁部の下端を嵌入し、先端止め溝に傾斜底板部の先端を嵌入して固定し、前記同様に背面側を、略、支持棚部の位置までンクリート、土砂、採石等で固定する。その後、１段目の支持棚部の凹溝に２段目の専用基礎部材の嵌合凸条を嵌入して２段目の専用基礎部材の１端側を支持棚部に支持させて据え付け、その上に積み上げる２段目の積上用Ｌ型コンクリートブロックは、２段目の専用基礎部材の下端嵌入凹溝に垂直壁部の下端を嵌入すると共に、先端止め溝に傾斜底板部の下端を嵌入して固定し、その背面側に略、支持棚部が隠れる位置までコンクリート、砕石、土砂等を埋め込み固定する施工法である。
【発明の効果】
【０００９】  本発明に係る複数段擁壁構築の施工法は、使用するＬ型コンクリートブロックの高さ寸法をを増大せずに一般寸法であるため、搬入、移動は勿論の事、複数段の積み上げ施工も容易である。特に積み上げ施工は、下段の積上用Ｌ型コンクリートブロックの棚支持部の凹溝に、積み上げる上段の積上用Ｌ型コンクリートブロックの垂直壁部の下端部を嵌入する施工法である。又は、下段の積上用Ｌ型コンクリートブロックの棚支持部の凹溝に下段の専用基礎部材の下面の嵌合凸条を嵌め込み、その専用基礎部材の上面の下端嵌入溝に上段の積上用Ｌ型コンクリートブロックの垂直壁部の下端部を嵌入する専用基礎部材も使用する施工法である。従って上下の積上用Ｌ型コンクリートブロックを強固に上下連結する事ができ、位置、高さ、傾斜、方向決め等が正確に能率よく行う事ができる。更に、下段の垂直壁部と上段の垂直壁部が重なり合う状態で嵌合連結する事により、傾斜部分に相当する面積が減少し最大限の有効利用面積が得られる。この施工法は２段擁壁構築に限るものではなく、複数段擁壁構築に適応する。従って、堅固な複数段擁壁を能率よく構築する事を可能にする施工法であり、高擁壁の構築費用を低減する経済効果を有する。
【発明を実施するための最良の形態】
【００１０】  以下、本発明に係る複数段擁壁構築の施工法の実施の形態を図２、図３及び図６、図７に基ずいて説明し、本発明に係る施工法に利用する積上用コンクリートブロックと専用基礎部材の実施の形態を図１及び図４、図５に基ずいて説明する。
【実施例】
【００１１】  図１は本発明に係る複数段擁壁構築の施工法に使用する積上用Ｌ型コンクリートブロック１の実施例を示し、垂直壁部２と１端が１０５度の角度差で垂直壁部１に連結する傾斜底板部３と、この垂直壁部２の背面と傾斜底板部３の上面に連結する連結支持部４により構成される。垂直壁部２の上部の背面側には、上端から適当距離離れた位置に支持棚部５を突設し、この支持棚部５の上面には積み上げる積上用Ｌ型コンクリートブロック１の垂直壁部２の下端部を嵌入する凹溝７を設け、支持棚部５は棚支持部６により強固に支持される。【００１２】  垂直壁部２に連結する支持棚部５の連結位置の上端からの距離は、上段に積み上げる積上用Ｌ型コンクリートブロック１の下端部と下段の積上用Ｌ型コンクリートブロック１の上端部との重なり合う部分となるので、全体寸法や設定傾斜、積上げ段数等によりその寸法を設定する。傾斜底板部４には施工時において、底面下にコンクリートを注入しやすくする為に従来と同様に複数のコンクリート充填用穴８を穿設する。【００１３】  図２は、本発明に係る施工法において、積上用Ｌ型コンクリートブロック１と基礎部材９を使用して１段目を施工する実施例である。使用する基礎部材は従来の基礎部材を使用するが、図示の通り垂直壁部２の下端部が嵌入する嵌合凹溝を設けた基礎部材９が有効である。施工法は積上用Ｌ型コンクリートブロック１を基礎部材９の上に据付けた後、傾斜底板部３、連結支持部４を含む垂直壁部２の背後全体を略、支持棚部５付近までコンクリート、砕石、土砂等１０等により強固に固めて、複数段擁壁の１段目を構築する。【００１４】  図３は図２に示した形態の１段目の上に、２段目の積上用コンクリートブロック１を積み上げた施工の実施例の状態を示す。１段目の垂直壁部２の背後を略、支持棚部５の高さぐらいまで固めたコンクリート、砕石、土砂等１０の上に２段目の積上用Ｌ型コンクリートブロック１を据え付ける際、２段目の積上用Ｌ型コンクリートブロック１の垂直壁部２の下端部を、１段目の積上用Ｌ型コンクリートブロック１の垂直壁部２背後の支持棚部５の上面に設けた凹溝７に嵌入して据え付ける。２段目の据え付け後は、積上用Ｌ型コンクリートブロック１の背面側の傾斜底板部３、連結支持部４を含む背後をコンクリート、砕石、土砂等１０により、支持棚部５が隠れる垂直壁部２の上端部まで固めて表面を土地や道路などに造成する。従って、２段目の積上用Ｌ型コンクリートブロック１の据え付けは、位置、高さ、傾斜、方向等が自ら定まり施工が極めて能率化するだけでなく、２段目の上に１段目が正確に收まり連結が強固となり、又、１段目の垂直壁部２の上端と２段目の垂直壁部２の下端が重なり合うので、傾斜面に相当する面積が減少して有効利用面積が最大限となる。【００１５】  図６及び図７は、本発明に利用する積上用Ｌ型コンクリートブロック１と専用基礎部材１１を使用して２段擁壁を構築する施工の実施例である。この実施例における積上用Ｌ型コンクリートブロック１は前記の実施例と同様であるが、専用基礎部材１１は、図４に示す通り板状、あるいは図５に示す通り角材状に構成し、共に上面側には１端側に積上用Ｌ型コンクリートブロックの垂直壁部２の下端��を嵌入する下端嵌入溝１２、他端側に傾斜底板部３の先端部を嵌入する先端止め溝１３を設け、１端側の下面側には垂直壁部２背面側の支持棚部５上面の凹溝７に嵌入する嵌合凸条１４を突設する。図４に示す板状の面積の広い専用基礎部材１１は、施工時に底面側にコンクリートを注入し易くする為に中央部にコンクリート充填穴１５を明けるとよい。【００１６】  図６は、積上用Ｌ型コンクリートブロック１と専用基礎部材１１を利用する複数段擁壁の１段目構築の施工実施例を示し、コンクリート、砕石、土砂等１０で造成した基礎面の上に１段目の専用基礎部材１１を据え付け、その上に配置する１段目の積上用Ｌ型コンクリートブロック１は、垂直壁部２の下端部を１段目の専用基礎部材１１の上面側の下端嵌入溝１２に嵌入すると共に、傾斜底板部３の先端部を先端止め溝１３に嵌入させる。その後の施工は図２と同様に積上用Ｌ型コンクリートブロック１の背後全体を略、支持棚部５の高さまでコンクリート、砕石、土砂等１０で固める。、その表面に２段目の専用基礎部材１１を据え付ける。【００１７】  図７は図６に示した１段目の形態の上に２段目の積上用Ｌ型コンクリートブロック１を積み上げた施工の実施例の状態を示す。２段目の専用基礎部材１１の据え付けは、下面に形成した嵌合凸条１４を、１段目の積上用Ｌ型コンクリートブロック１の背面側の支持棚部５の凹溝７に嵌入してその位置を決定する。この２段目の専用基礎部材１１の上に２段目の積上用Ｌ型コンクリートブロック１を積み上げるが、その際は１段目と同様に、垂直壁部２の下端部を２段目の専用基礎部材１１の下端嵌入溝１２に、傾斜底板部３の先端部を先端止め溝１３に嵌入する。従って、位置、高さ、傾斜、方向の決定は容易となり、全体の上下連結は、１段目の積上用Ｌ型コンクリートブロック１の支持棚部５と２段目の専用基礎部材１１の嵌合凸条１４との嵌合、２段目の専用基礎部材１１の下端嵌入溝１２と２段目のＬ型コンクリートブロック１の垂直壁部２の下端部の嵌合により上下全体が連結して強固な２段擁壁を構築する事ができる。【００１８】  ２段以上の複数段擁壁構築の施工は、図３及び図７に示した１段目の上に２段目を積み上げる施工と同様な施工法により、２段目の上に３段目を積み上げ、更に３段目の上に４段目を積み上げる。こうして複数段の擁壁を構築するので、擁壁構築の高さが高い程、本発明の施工法の利点が顕著となる。
【図面の簡単な説明】
【００１９】
【図１】  本発明に係る複数段擁壁構築の施工法に利用する積上用Ｌ型コンクリートブロックの実施例の斜視図である。
【図２】  本発明に係る施工法に利用する積上用Ｌ型コンクリートブロックに基礎部材を使用して１段目を据え付けた施工状態の縦断面図である。
【図３】  本発明に係る施工法に利用する積上用Ｌ型コンクリートブロックを２段に積上げた施工状態の縦断面図である。
【図４】  本発明に係る施工法に利用する板状の専用基礎部材の斜視図である。
【図５】  本発明に係る施工法に利用する角材状の専用基礎部材の斜視図である。
【図６】  本発明に係る施工法に利用する積上用Ｌ型コンクリートブロックと専用基礎部材を使用して１段目を据え付けた施工状態の縦断面図である。
【図７】  本発明に係る施工法に利用する積上用Ｌ型コンクリートブロックと専用基礎部材を２段に積上げた施工状態の縦断面図である。
【図８】  従来のＬ型コンクリートブロックを据え付けた従来施工状態の縦断面図である。
【符号の説明】
【００２０】１    積上用Ｌ型コンクリートブロック
２    垂直壁部
３    傾斜底板部
４    連結支持部
５    支持棚部
６    棚支持部
７    凹溝
８    コンクリート注入穴
９    基礎部材
１０  コンクリート、砕石、土砂等
１１  専用基礎部材
１２  下端嵌入凹溝
１３  先端止め溝
１４  嵌合凸条
１５  コンクリート充填穴
１６  従来の擁壁用Ｌ型コンクリートブロック
１７  従来の基礎部材
【図１】
2010242474.tif 000003
【図２】
2010242474.tif 000004
【図３】
2010242474.tif 000005
【図４】
2010242474.tif 000006
【図５】
2010242474.tif 000007
【図６】
2010242474.tif 000008
【図７】
2010242474.tif 000009
【図８】
2010242474.tif 000010